(57)【要約】【課題】開閉窓を電動で開閉可能とする構成を追加した後でも、手動ハンドルを取付けることができ手動での開閉も行うことのできる窓開閉装置を提供する。【解決手段】建物開口部に取付けられる枠体１内に障子２が開閉機構５を介して開閉自在に納められた窓の開閉機構５を駆動する駆動部１５に対して取付けられるものであって、枠体１に対して固定されるブラケット２１と、ブラケット２１に対して固定され駆動部１５を動作させるモータ２３と、モータ２３を覆うように取付けられるモータカバー２５とからなり、モータ２３には第２の駆動軸２３ｂを駆動軸２３ａと反対側の略対称位置に設け、モータカバー２５には挿通孔２５ａを形成し該挿通孔２５ａを介して第２の駆動軸２３ｂに対し手動ハンドルを連結自在としてなる。【選択図】図３
2008231690.tif 000002
【特許請求の範囲】
【請求項１】
建物開口部に取付けられる枠体内に障子が開閉機構を介して開閉自在に納められた窓の前記開閉機構を駆動する駆動部に対して取付けられる窓開閉装置において、
前記枠体に対して固定されるブラケットと、該ブラケットに対して固定され前記駆動部を動作させるモータと、前記モータを覆うように取付けられるモータカバーとからなり、
前記モータには第２の駆動軸を前記駆動軸と反対側の略対称位置に設け、前記モータカバーには挿通孔を形成し該挿通孔を介して前記第２の駆動軸に対し手動ハンドルを連結自在としたことを特徴とする窓開閉装置。
【請求項２】
前記モータカバーの挿通孔にはそれを塞ぐキャップが設けられることを特徴とする請求項１記載の窓開閉装置。
【請求項３】
建物開口部に取付けられる枠体内に障子が開閉機構を介して開閉自在に納められた窓であって、
前記開閉機構を駆動する駆動部に対して請求項１または２に記載の窓開閉装置を取付けたことを特徴とする窓。
【発明の詳細な説明】
【技術分野】
【０００１】
本発明は、開閉窓を自動で開閉させる窓開閉装置及びそれを取付けた窓に関し、特に手動ハンドルも取付可能な窓開閉装置及びそれを取付けた窓に関する。
【背景技術】
【０００２】
従来、ルーバー窓、縦辷り出し窓、平行辷り出し窓、及びオーニング窓のような開閉窓が知られており、これら開閉窓においては窓開閉装置によって窓の開閉を行うのが一般的である。窓開閉装置は、回動自在なハンドルを有して手動で直接操作されるものや、ハンドルの代わりにチェーン操作用プーリが設けられ、これに取付けられたチェーンにより手動で遠隔操作されるものなどがある。このように手動で操作される窓開閉装置に対し、電動で操作を行う窓開閉装置も利用されるようになっており、さらに手動で操作される窓開閉装置に電動で操作を行うための構成を追加するものも知られている。このような窓開閉装置としては、例えば特許文献１や特許文献２に挙げるようなものがある。
【特許文献１】特開２００５−２５６３９５号公報
【特許文献２】特開２００５−８９９８０号公報
【発明の開示】
【発明が解決しようとする課題】
【０００３】
従来の窓開閉装置は、手動ハンドルを取り外してモータをブラケットを介して取付けるものであり、モータを取付けた後は手動で操作することはできない。したがって、停電の場合などモータで開閉ができなくなった場合には、窓の開閉を行うことができない。
【０００４】
本発明は、前記課題を解決すべくなされたものであり、開閉窓を電動で開閉可能とする構成を追加した後でも、手動ハンドルを取付けることができ手動での開閉も行うことのできる窓開閉装置及びそれを取付けた窓を提供することを目的とする。
【課題を解決するための手段】
【０００５】
上記課題を解決するため、本発明にかかる窓開閉装置は、建物開口部に取付けられる枠体内に障子が開閉機構を介して開閉自在に納められた窓の前記開閉機構を駆動する駆動部に対して取付けられる窓開閉装置において、
前記枠体に対して固定されるブラケットと、該ブラケットに対して固定され前記駆動部を動作させるモータと、前記モータを覆うように取付けられるモータカバーとからなり、
前記モータには第２の駆動軸を前記駆動軸と反対側の略対称位置に設け、前記モータカバーには挿通孔を形成し該挿通孔を介して前記第２の駆動軸に対し手動ハンドルを連結自在としたことを特徴として構成されている。
【０００６】
また、本発明にかかる窓開閉装置は、前記モータカバーの挿通孔にはそれを塞ぐキャップが設けられることを特徴として構成されている。
【０００７】
さらに、本発明にかかる窓は、建物開口部に取付けられる枠体内に障子が開閉機構を介して開閉自在に納められた窓であって、
前記開閉機構を駆動する駆動部に対して前記いずれかの窓開閉装置を取付けたことを特徴として構成されている。
【発明の効果】
【０００８】
本発明にかかる窓開閉装置によれば、モータには第２の駆動軸を駆動軸と反対側に設け、モータカバーには挿通孔を形成し該挿通孔を介して第２の駆動軸に対し手動ハンドルを連結自在としたことにより、通常は駆動軸により電動で駆動部を駆動しつつ、第２の駆動軸に既設の手動ハンドルを取付けることで、停電時などにおいて手動操作を行うこともできる。また、第２の駆動軸は駆動軸と反対側の略対称位置に設けられるので、手動ハンドルを取付けた状態であってもその回転操作を円滑に行うことができる。
【０００９】
また、本発明にかかる窓開閉装置によれば、モータカバーの挿通孔にはそれを塞ぐキャップが設けられることにより、駆動軸により電動で駆動部を駆動する場合には、モータカバーの内部が見えないようにすることができて、意匠性を向上させることができる。
【発明を実施するための最良の形態】
【００１０】
本発明の実施形態について、図面に沿って詳細に説明する。本実施形態では、ルーバー窓に対して取付けることのできる窓開閉装置について説明する。このうち、まず本実施形態の窓開閉装置が取付けられたルーバー窓の構成について説明する。図１にはルーバー窓の縦断面図を、図２にはルーバー窓の横断面図を、それぞれ示している。これら各図に示すように、ルーバー窓は、建物開口部に取付けられる枠体１内に開閉機構５を介して上下方向に複数設けられる障子２を納めてなるものであり、それぞれの障子２は開閉機構５によって回動されることで、開閉自在とされている。
【００１１】
枠体１は、上枠１０と下枠１１及び左右の縦枠１２、１２を方形状に枠組みしてなるものであり、それぞれ室内端部にはアングル部１３が取付けられている。各アングル部１３より室内側にはそれぞれ額縁材８が取付けられて、枠体１が建物開口部内に納められている。
【００１２】
開閉機構５は縦枠１２内に設けられ、それを駆動する駆動部１５が縦枠１２の上下方向中間位置に設けられている。また、駆動部１５の室外側には連係部１５ａを有しており、外部からの駆動によりこれが動作することによって開閉機構５を動作させ、それに取付けられた障子２を回動させる。すなわち、駆動部１５は開閉機構５を介して障子２と連係しており、その動作によって障子２を開閉させることができる。
【００１３】
障子２は、面材部４と保持体３とが一体的に形成されてなるものであり、枠体１内において上下に複数並設される。保持体３は、一端部が開閉機構５に対して回動自在に支持されると共に、縦枠１２に形成される障子支持部１４にも回動自在に支持される。駆動部１５の連係部１５ａが外部からの駆動により動作すると、開閉機構５は上下方向にスライド移動し、それに伴って保持体３は障子支持部１４による支持部分を中心に回動することによって、障子２が開閉動作する。なお、図１の上端の障子２と下端の障子２について、開状態を点線で示している。
【００１４】
駆動部１５の室内側には、連係部１５ａを動作させるための窓開閉装置２０が取付けられる。図３には、ルーバー窓における窓開閉装置２０付近の拡大図を示している。縦枠１２の室内側には、前述のように駆動部１５が設けられており、さらにそれより室内側に張り出すように窓開閉装置２０が設けられる。また、駆動部１５には、室内側に向かって突出するように操作軸１６が設けられており、この操作軸１６が回転駆動されることによって駆動部１５の連係部１５ａが動作し、開閉機構５を介して障子２を開閉動作させることができる。
【００１５】
窓開閉装置２０は、縦枠１２及び駆動部１５に対して固定されるベースブラケット２１と、ベースブラケット２１に対して固定されるモータ固定ブラケット２２と、モータ固定ブラケット２２に対して固定されるモータ２３と、モータ２３を覆うように設けられるモータカバー２５とからなっている。
【００１６】
ベースブラケット２１とモータ固定ブラケット２２は、いずれも金属材を折り曲げ加工してなり、互いにネジ止め固定されることによって一体化される。また、ベースブラケット２１は、一側部が縦枠１２と駆動部１５によって挟持されるように配置され、縦枠１２に対してネジ止めされることによって固定される。モータ２３は、一面に駆動軸２３ａを備えている。駆動軸２３ａは、セレーション軸を挿入可能なように凹状に形成されている。モータ２３は、モータ固定ブラケット２２に対して駆動軸２３ａが形成された一面がネジ止め固定され、駆動軸２３ａに対して駆動部１５の操作軸１６を挿入することで、駆動軸２３ａの回転に伴って操作軸１６を回転駆動することができる。
【００１７】
図４にはモータ２３の正面図を、図５にはモータ２３の底面図を、それぞれ示している。これらの図に示すように、モータ２３は外形状を略箱状に形成され、一面から突出部２３ｃが円柱状に形成されている。この突出部２３ｃの内部に、セレーション軸を挿入可能な駆動軸２３ａが形成されている。
【００１８】
モータ２３には、駆動軸２３ａとは反対側の面の対称位置に、第２の駆動軸２３ｂがセレーション軸として形成されている。この第２の駆動軸２３ｂは、モータ２３に通電された際に、駆動軸２３ａと共に回転すると共に、外部から回転駆動された場合には、駆動軸２３ａをそれと共に回転させるように、モータ２３内で駆動軸２３ａと連係している。
【００１９】
図６には、駆動部１５に取付けられた状態の窓開閉装置２０の斜視図を示している。この図に示すように、モータカバー２５には、モータ２３の第２の駆動軸２３ｂの延長線上に挿通孔２５ａが形成されている。この挿通孔２５ａは、キャップ２６が係合するように設けられ、それによって塞がれた状態となっている。キャップ２６を取り外すことで、挿通孔２５ａに対して手動ハンドルを挿入することができる。
【００２０】
図７には、図６の窓開閉装置２０に対して手動ハンドル３０を取付けた状態の斜視図を示している。手動ハンドル３０は、ルーバー窓に窓開閉装置２０が取付けられていなかった際に、手動で駆動部１５を回転駆動するためのものであって、窓開閉装置２０を取付ける際に予め取り外されていたものである。その持手部３１は略六角形状に形成され、軸部３２の先端にはセレーション軸を挿入することができるように凹状の挿入部が形成されている。
【００２１】
図７に示すように、手動ハンドル３０は、挿通孔２５ａ内に配置される第２の駆動軸２３ｂに対して回転駆動可能となるように取付けられる。この状態で手動ハンドル３０の持手部３１を手で回転させると、モータ２３の第２の駆動軸２３ｂが回転し、それに伴って駆動軸２３ａも回転する。それによって駆動部１５を回転駆動し、障子２を手動で開閉することができる。
【００２２】
このように、モータ３２に第２の駆動軸２３ｂを設け、モータカバー２５の挿通孔２５ａを介して手動ハンドル３０を取付可能としたことにより、停電の場合など窓を電動で開閉できなくなった場合に、手動ハンドル３０を取付けて手動で窓を開閉させることができる。
【００２３】
以上、本発明の実施形態について説明したが、本発明の適用は本実施形態には限られず、その技術的思想の範囲内において様々に適用されうるものである。本実施形態では、窓開閉装置２０をルーバー窓に取付けたものについて示したが、窓開閉装置２０はルーバー窓に限られず、縦辷り出し窓や平行辷り出し窓、あるいはオーニング窓などの各種開閉窓に取付けることができる。また、本実施形態では普段はモータカバー２５の挿通孔２５ａにはキャップ２６を取付けておき、手動で駆動したい場合にはキャップ２６を外して手動ハンドル３０を取付けることとしたが、普段から手動ハンドル３０を取付けた状態としていてもよい。また、手動ハンドル３０の種類についても、略六角形状の持手部３１を有するものには限られず、レバー状の持ち手を有するものなど、手動で回転駆動できるものであればどのような形状であってもよい。
【図面の簡単な説明】
【００２４】
【図１】ルーバー窓の縦断面図である。
【図２】ルーバー窓の横断面図である。
【図３】ルーバー窓における窓開閉装置付近の拡大図である。
【図４】モータの正面図である。
【図５】モータの底面図である。
【図６】駆動部に取付けられた状態の窓開閉装置の斜視図である。
【図７】図６の窓開閉装置に対して手動ハンドルを取付けた状態の斜視図である。
【符号の説明】
【００２５】
１    枠体
２    障子
５    開閉機構
１５    駆動部
１５ａ  連係部
１６    操作軸
２０    窓開閉装置
２１    ベースブラケット
２２    モータ固定ブラケット
２３    モータ
２３ａ  駆動軸
２３ｂ  第２の駆動軸
２５    モータカバー
２５ａ  挿通孔
２６    キャップ
３０    手動ハンドル
【図１】
2008231690.tif 000003
【図２】
2008231690.tif 000004
【図３】
2008231690.tif 000005
【図４】
2008231690.tif 000006
【図５】
2008231690.tif 000007
【図６】
2008231690.tif 000008
【図７】
2008231690.tif 000009